(57)【要約】【課題】本発明は、印刷配線板の固定用ランドに半田付けにより外部インタフェース用コネクタを実装するコネクタ実装構造に於いて、固定用金具等の別部品を用いることなく、安価かつ簡単な構造で、上記コネクタの端子へ加わるこじり力により上記固定用ランドが剥離する不具合を解消したコネクタの固定構造、印刷配線板、およびコネクタ固定方法を提供することを課題とする。【解決手段】印刷配線板１１のＤＣ−ＩＮコネクタ実装面１２に設けられた固定用パッド１３ａ，１３ｂ，１３ｃの各コーナー部に、それぞれパッド剥離防止用のスルーホールランドＴＨ，ＴＨ，…を設けて、コネクタリードに加わるこじり力から上記各固定用パッド１３ａ，１３ｂ，１３ｃを保護し、固定用パッド１３ａ，１３ｂ，１３ｃの剥離を防止する。【選択図】　　図１
2004006538.tif 000002
【特許請求の範囲】
【請求項１】
外部インタフェース用コネクタを印刷配線板に半田固定するために設けられたパッドの少なくとも二カ所のコーナー部に、前記パッドの剥離防止用スルーホールランドを設けたことを特徴とするコネクタの固定構造。
【請求項２】
外部インタフェース用コネクタを印刷配線板に半田固定するために設けられたパッドの縁部複数箇所に、前記パッドの剥離防止用スルーホールランドを設けたことを特徴とするコネクタの固定構造。
【請求項３】
前記外部インタフェース用コネクタは、ＤＣ−ＩＮジャックを含む電源入力コネクタ、キーボード接続コネクタ、マウス接続コネクタ、ＵＳＢコネクタ、ＩＥＥＥ１３９４コネクタ、ビデオ入力コネクタ、ビデオ出力コネクタ、オーディオジャックのいずれかである請求項１または２記載のコネクタの固定構造。
【請求項４】
外部インタフェース用コネクタを印刷配線板に半田固定するために設けられたパッドの少なくとも二カ所のコーナー部に、前記コネクタへ加わるこじり力から前記パッドを保護するパッド剥離防止用のスルーホールランドを設けたことを特徴とするコネクタの固定方法。
【請求項５】
外部インタフェース用コネクタを印刷配線板に半田固定するために設けられたパッドの縁部複数箇所に、前記コネクタへ加わるこじり力から前記パッドを保護するパッド剥離防止用のスルーホールランドを設けたことを特徴とするコネクタの固定方法。
【請求項６】
前記外部インタフェース用コネクタは、ＤＣ−ＩＮジャックを含む電源入力コネクタ、キーボード接続コネクタ、マウス接続コネクタ、ＵＳＢコネクタ、ＩＥＥＥ１３９４コネクタ、ビデオ入力コネクタ、ビデオ出力コネクタ、オーディオジャックのいずれかである請求項４または５記載のコネクタの固定方法。
【請求項７】
外部インタフェース用コネクタを半田固定するための固定用パッドと、前記固定用パッドの少なくとも二カ所のコーナー部に設けたパッド剥離防止用のスルーホールランドとを具備したことを特徴とする印刷配線板。
【請求項８】
外部インタフェース用コネクタを半田固定するための固定用パッドと、前記固定用パッドの縁部複数箇所に設けたパッド剥離防止用のスルーホールランドとを具備したことを特徴とする印刷配線板。
【発明の詳細な説明】
【０００１】
【発明の属する技術分野】
本発明は、例えば、ＤＣ−ＩＮジャックを含む電源入力コネクタ、キーボード接続コネクタ、マウス接続コネクタ、ＵＳＢコネクタ、ＩＥＥＥ１３９４コネクタ、ビデオ入力コネクタ、ビデオ出力コネクタ、オーディオジャック等の各種外部インタフェース用コネクタのうち、少なくともいずれかのコネクタを印刷配線板に固定して実装した電子機器に適用して好適なコネクタの固定構造、印刷配線板、およびコネクタの固定方法に関する。
【０００２】
【従来の技術】
アダプタ電源を用いる、例えばポータブルコンピュータ等の電子機器に於いては、上記アダプタ電源の電源プラグが挿入されるＤＣ−ＩＮコネクタ（ＤＣ−ＩＮジャック）を印刷配線板に半田付け固定して実装するコネクタ実装構造が用いられる。この際の印刷配線板に於ける従来のコネクタ実装部分の構成を図８に示し、そのコネクタ実装構造を図９示す。図８に於いて、印刷配線板８１のＤＣ−ＩＮコネクタ実装面８２には、図２に示すような形状のＤＣ−ＩＮコネクタを印刷配線板８１に固定し実装するための固定用パッド８３ａ，８３ｂ，８３ｃが設けられる。更にこの固定用パッド８３ａ，８３ｂ，８３ｃには、リード嵌挿用孔８４ａ，８４ｂ，８４ｃが設けられる。このリード嵌挿用孔８４ａ，８４ｂ，８４ｃに、上記ＤＣ−ＩＮコネクタの固定用リード（半田付け用端子）９１が嵌挿され、半田９２により固定用パッド８３ａ，８３ｂ，８３ｃに固着（半田付け）されることによって、ＤＣ−ＩＮコネクタが印刷配線板８１のＤＣ−ＩＮコネクタ実装面８２に固定される。
【０００３】
しかしながら、従来のこの種、コネクタの固定手段に於いては、ＤＣ−ＩＮコネクタにアダプタ電源のプラグが差し込まれた状態で、プラグを介し、ＤＣ−ＩＮコネクタにこじり（抉り）力が加わると、これに伴い、図１０に示すように、ＤＣ−ＩＮコネクタの固定用リード９１に、こじり（抉り）力（Ｓａ，Ｓｂ）が加わり、このこじり力（Ｓａ，Ｓｂ）によって、固定用パッド８３（８３ａ，８３ｂ，８３ｃ）が印刷配線板８１から剥離してしまうという不具合が発生する。図１０では、このこじり力（Ｓａ，Ｓｂ）によって、固定用パッド８３の両面に剥離部（ＰＲＹ）が形成された状態を例示している。
【０００４】
このように、ＤＣ−ＩＮコネクタ等の外部インタフェース用コネクタを印刷配線板に実装する従来のコネクタ実装構造に於いては、コネクタの固定に、コネクタのリードを固定する半田付け用ランド（固定用パッド）のみが用いられており、こじりストレスに対して弱い実装構造であった。
【０００５】
このこじりストレス対策として、従来では、補強金具等の補強部材を用いていた。
【０００６】
【発明が解決しようとする課題】
上述したように従来では、ＤＣ−ＩＮコネクタ等の外部インタフェース用コネクタを印刷配線板に実装する従来のコネクタ実装構造に於いては、コネクタの固定に、コネクタのリードを固定する半田付け用ランドのみが用いられており、こじりストレスに対して弱い実装構造であった。
【０００７】
本発明は上記実情に鑑みなされたもので、印刷配線板の固定用ランドに半田付けにより外部インタフェース用コネクタを実装するコネクタ実装構造に於いて、固定用金具等の別部品を用いることなく、安価かつ簡単な構造で、上記コネクタの端子へ加わるこじり力により上記固定用ランドが剥離する不具合を解消したコネクタの固定構造、印刷配線板、およびコネクタ固定方法を提供することを目的とする。
【０００８】
【課題を解決するための手段】
本発明は、印刷配線板の固定用ランドに半田付けにより外部インタフェース用コネクタを実装するコネクタ実装構造に於いて、固定用パッドの端部複数箇所にスルーホールランドを設置することによって、こじりストレスによる剥離障害を防止する構造としたことを特徴とする。
【０００９】
即ち、本発明は、外部インタフェース用コネクタを印刷配線板に半田固定するために設けられたパッドの少なくとも二カ所のコーナー部に、前記パッドの剥離防止用スルーホールランドを設けたコネクタの固定構造を特徴とする。
【００１０】
また、本発明は、外部インタフェース用コネクタを印刷配線板に半田固定するために設けられたパッドの縁部複数箇所に、前記パッドの剥離防止用スルーホールランドを設けたコネクタの固定構造を特徴とする。
【００１１】
また、本発明は、外部インタフェース用コネクタを印刷配線板に半田固定するために設けられたパッドの少なくとも二カ所のコーナー部に、前記コネクタへ加わるこじり力から前記パッドを保護するパッド剥離防止用のスルーホールランドを設けたコネクタの固定方法を特徴とする。
【００１２】
また、本発明は、外部インタフェース用コネクタを印刷配線板に半田固定するために設けられたパッドの縁部複数箇所に、前記コネクタへ加わるこじり力から前記パッドを保護するパッド剥離防止用のスルーホールランドを設けたコネクタの固定方法を特徴とする。
【００１３】
また、本発明は、外部インタフェース用コネクタを半田固定するための固定用パッドと、前記固定用パッドの少なくとも二カ所のコーナー部に設けたパッド剥離防止用のスルーホールランドとを具備した印刷配線板を特徴とする。
【００１４】
また、本発明は、外部インタフェース用コネクタを半田固定するための固定用パッドと、前記固定用パッドの縁部複数箇所に設けたパッド剥離防止用のスルーホールランドとを具備した印刷配線板を特徴とする。
【００１５】
【発明の実施の形態】
以下、図面を参照して本発明の実施形態を説明する。
【００１６】
まず、図１乃至図３を参照して本発明の第１実施形態を説明する。この第１実施形態は、ＤＣ−ＩＮコネクタの実装部に本発明を適用した例を示している。
【００１７】
図１は本発明の第１実施形態に於ける印刷配線板のパターンレイアウトを示す平面図である。図２は上記第１実施形態に於けるコネクタの実装状態を示す斜視図である。図３は上記第１実施形態に於けるコネクタの実装構造を示す断面図である。
【００１８】
図１に示すように、印刷配線板１１のＤＣ−ＩＮコネクタ実装面１２と、その裏面には、それぞれ図２に示すＤＣ−ＩＮコネクタ本体２１を印刷配線板１１に固定し実装するための略矩形状の固定用パッド１３ａ，１３ｂ，１３ｃが設けられる。この各固定用パッド１３ａ，１３ｂ，１３ｃの略中央部には、それぞれ上記ＤＣ−ＩＮコネクタ本体２１の固定用リードが嵌挿される長円状のリード嵌挿用孔（リードを固定する半田付け用ランド）１４ａ，１４ｂ，１４ｃが印刷配線板１１を貫通して設けられる。
【００１９】
この固定用パッド１３ａ，１３ｂ，１３ｃのリード嵌挿用孔１４ａ，１４ｂ，１４ｃに、上記ＤＣ−ＩＮコネクタ本体２１の固定用リード（半田付け用端子）２３ａ，２３ｂ（図示せず），２３ｃが挿入され、その固定用リード２３ａ，２３ｂ，２３ｃが固定用パッド１３ａ，１３ｂ，１３ｃに半田２４で固着されることによって、ＤＣ−ＩＮコネクタ本体２１が固定用パッド１３ａ，１３ｂ，１３ｃに固定される。
【００２０】
本発明に於いては、上記したコネクタリードの半田付け用パッド（固定用パッド）に、複数のパッド剥離防止用のスルーホールランドを設け、リードに加わるこじりストレスから半田付け用パッド（固定用パッド）を保護し、パットの剥離を防止している。
【００２１】
この第１実施形態では、図１乃至図３にそれぞれ示すように、上記印刷配線板１１のＤＣ−ＩＮコネクタ実装面１２に設けられた固定用パッド１３ａ，１３ｂ，１３ｃのコーナー（四隅）に、それぞれパッド剥離防止用のスルーホールランドＴＨ，ＴＨ，…を設ける。
【００２２】
このパッド剥離防止用のスルーホールランドＴＨ，ＴＨ，…により、上記各固定用パッド１３ａ，１３ｂ，１３ｃは、それぞれ剥離方向に対して強固に補強され、固定用リード２３ａ，２３ｂ，２３ｃに加わるこじり力に対して固定用パッド１３ａ，１３ｂ，１３ｃの剥がれを防止する。
【００２３】
即ち、印刷配線板１１のＤＣ−ＩＮコネクタ実装面１２に実装されたＤＣ−ＩＮコネクタ本体２１に、アダプタ電源のプラグが差し込まれた状態で、ＤＣ−ＩＮコネクタ本体２１に、上記プラグを介して外部から偏奇力が加わり、これによりＤＣ−ＩＮコネクタ本体２１の固定用リード（半田付け用端子）２３ａ，２３ｂ，２３ｃに、こじり力が加わると、このこじり力が固定用パッド１３ａ，１３ｂ，１３ｃを引き剥がす方向に働くが、固定用パッド１３ａ，１３ｂ，１３ｃの四隅に設けられたパッド剥離防止用のスルーホールランドＴＨ，ＴＨ，…が、そのこじり力のストレスに対して固定用パッド１３ａ，１３ｂ，１３ｃを保護し、固定用パッド１３ａ，１３ｂ，１３ｃの剥離を防止する。
【００２４】
これにより、コネクタ固定用金具等の別部品を用いることなく、安価かつ簡単な構造で、上記ＤＣ−ＩＮコネクタ本体２１の端子（リード）へ加わる、こじり力により、上記固定用ランド（固定用パッド１３ａ，１３ｂ，１３ｃ）が剥離する不具合を解消することができる。
【００２５】
次に、図４および図５を参照して本発明の第２実施形態を説明する。この第２実施形態は、本発明をＵＳＢコネクタの実装部に適用した例を示している。
【００２６】
図４は本発明の第２実施形態に於ける印刷配線板の構成を示す平面図であり、図５は上記第２実施形態に於けるコネクタの実装状態を示す斜視図である。
【００２７】
図４に示すように、印刷配線板３１のＵＳＢコネクタ実装面３２と、その裏面には、それぞれ図５に示すＵＳＢコネクタ本体４１を印刷配線板３１に固定し実装するための略矩形状の固定用パッド３３ａ，３３ｂ，３３ｃが設けられる。この各固定用パッド３３ａ，３３ｂ，３３ｃの略中央部には、それぞれ上記ＵＳＢコネクタ本体４１の固定用リードが嵌挿される長円状のリード嵌挿用孔（リードを固定する半田付け用ランド）３４ａ，３４ｂ，３４ｃが印刷配線板３１を貫通して設けられる。この固定用パッド３３ａ，３３ｂ，３３ｃのリード嵌挿用孔３４ａ，３４ｂ，３４ｃに、それぞれ上記ＵＳＢコネクタ本体４１の各固定用リード（半田付け用端子）４２が挿入され、その各固定用リード４２が固定用パッド３３ａ，３３ｂ，３３ｃに半田２４で固着されることによって、ＵＳＢコネクタ本体４１が固定用パッド３３ａ，３３ｂ，３３ｃに固定される。
【００２８】
上記印刷配線板３１のＵＳＢコネクタ実装面３２に設けられた固定用パッド３３ａ，３３ｂ，３３ｃのコーナー（四隅）には、それぞれパッド剥離防止用のスルーホールランドＴＨ，ＴＨ，…が設けられる。このパッド剥離防止用のスルーホールランドＴＨ，ＴＨ，…により、上記各固定用パッド３３ａ，３３ｂ，３３ｃは、それぞれ剥離方向に対して強固に補強され、上記した第１実施形態と同様に、固定用リード４２に加わる、こじり力に対して、パッド剥離防止用のスルーホールランドＴＨ，ＴＨ，…が固定用パッド３３ａ，３３ｂ，３３ｃを保護し、固定用パッド３３ａ，３３ｂ，３３ｃの剥離を防止する。
【００２９】
これにより、コネクタ固定用金具等の別部品を用いることなく、安価かつ簡単な構造で、上記ＵＳＢコネクタ本体４１の端子（リード）へ加わる、こじり力により、上記固定用パッド３３ａ，３３ｂ，３３ｃが剥離する不具合を解消することができる。
【００３０】
次に、図６および図７を参照して本発明の第３実施形態を説明する。この第３実施形態は、本発明をＩＥＥＥ１３９４コネクタの実装部に適用した例を示している。
【００３１】
図６は本発明の第３実施形態に於ける印刷配線板の構成を示す平面図であり、図７は上記第３実施形態に於けるコネクタの実装状態を示す斜視図である。
【００３２】
図６に示すように、印刷配線板５１のＩＥＥＥ１３９４コネクタ実装面５２と、その裏面には、それぞれ図７に示すＩＥＥＥ１３９４コネクタ本体６１を印刷配線板５１に固定し実装するための略矩形状の固定用パッド（リードを固定する半田付け用ランド）５３ａ，５３ｂが設けられる。この各固定用パッド５３ａ，５３ｂの略中央部には、それぞれ上記ＩＥＥＥ１３９４コネクタ本体６１の固定用リードが嵌挿される長円状のリード嵌挿用孔５４ａ，５４ｂが印刷配線板５１を貫通して設けられる。この固定用パッド５３ａ，５３ｂのリード嵌挿用孔５４ａ，５４ｂに、それぞれ上記ＩＥＥＥ１３９４コネクタ本体６１の各固定用リード（半田付け用端子）６２，６２が挿入され、その各固定用リード６２，６２が固定用パッド５３ａ，５３ｂに半田６４で固着されることによって、ＩＥＥＥ１３９４コネクタ本体６１が固定用パッド５３ａ，５３ｂに固定される。
【００３３】
上記印刷配線板５１のＩＥＥＥ１３９４コネクタ実装面５２に設けられた固定用パッド５３ａ，５３ｂのコーナー（四隅）には、それぞれパッド剥離防止用のスルーホールランドＴＨ，ＴＨ，…が設けられる。このパッド剥離防止用のスルーホールランドＴＨ，ＴＨ，…により、上記各固定用パッド５３ａ，５３ｂは、それぞれ剥離方向に対して強固に補強され、上記した第１、第２実施形態と同様に、固定用リード６２に加わる、こじり力に対して、パッド剥離防止用のスルーホールランドＴＨ，ＴＨ，…が固定用パッド５３ａ，５３ｂを保護し、固定用パッド５３ａ，５３ｂの剥離を防止する。
【００３４】
これにより、コネクタ固定用金具等の別部品を用いることなく、安価かつ簡単な構造で、上記ＩＥＥＥ１３９４コネクタ本体６１の端子（リード）へ加わる、こじり力により、上記固定用パッド５３ａ，５３ｂが剥離する不具合を解消することができる。
【００３５】
尚、上記した各実施形態に於いては、固定用パッド（リードを固定する半田付け用ランド）を略矩形状とした例を示したが、これに限らず、例えば、円形状、楕円形状、長円形状等であってもよく、この際は、半田付け用ランドの縁部に所定の間隔で複数のパッド剥離防止用のスルーホールランドＴＨ，ＴＨ，…を設けることにより、上記各実施形態と同様の剥離防止効果が得られる。また、上記パッド剥離防止用のスルーホールランドＴＨ，ＴＨ，…に半田を流し込むことで、剥離方向に対して、より強固な補強が行える。
【００３６】
【発明の効果】
以上詳記したように本発明によれば、印刷配線板の固定用ランドに半田付けにより外部インタフェース用コネクタを実装するコネクタ実装構造に於いて、固定用金具等の別部品を用いることなく、安価かつ簡単な構造で、上記コネクタの端子へ加わるこじり力により上記固定用ランドが剥離する不具合を解消できる。
【図面の簡単な説明】
【図１】本発明の第１実施形態に於ける印刷配線板のパターンレイアウトを示す平面図。
【図２】上記第１実施形態に於けるコネクタの実装状態を示す斜視図。
【図３】上記第１実施形態に於けるコネクタの実装構造を示す断面図。
【図４】本発明の第２実施形態に於ける印刷配線板のパターンレイアウトを示す平面図。
【図５】上記第２実施形態に於けるコネクタの実装状態を示す斜視図。
【図６】本発明の第３実施形態に於ける印刷配線板のパターンレイアウトを示す平面図。
【図７】上記第３実施形態に於けるコネクタの実装状態を示す斜視図。
【図８】従来の印刷配線板のコネクタ実装部分のパターンレイアウトを示す平面図。
【図９】従来のコネクタ実装構造を示す断面図。
【図１０】従来のコネクタ実装構造に於ける固定用パッドの剥離発生状態を示す断面図。
【符号の説明】
ＴＨ…パッド剥離防止用スルーホールランド
１１…印刷配線板
１２…ＤＣ−ＩＮコネクタ実装面
１３ａ，１３ｂ，１３ｃ…固定用パッド
１４ａ，１４ｂ，１４ｃ…リード嵌挿用孔
２１…ＤＣ−ＩＮコネクタ本体
２３ａ，２３ｃ…固定用リード（半田付け用端子）
２４…半田
３１…印刷配線板
３２…ＵＳＢコネクタ実装面
３３ａ，３３ｂ，３３ｃ…固定用パッド
３４ａ，３４ｂ，３４ｃ…リード嵌挿用孔
４１…ＵＳＢコネクタ本体
４２…固定用リード（半田付け用端子）
４４…半田
５１…印刷配線板
５２…ＩＥＥＥ１３９４コネクタ実装面
５３ａ，５３ｂ…固定用パッド
５４ａ，５４ｂ…リード嵌挿用孔
６１…ＩＥＥＥ１３９４コネクタ本体
６２…固定用リード（半田付け用端子）
６４…半田
【図１】
2004006538.tif 000003
【図２】
2004006538.tif 000004
【図３】
2004006538.tif 000005
【図４】
2004006538.tif 000006
【図５】
2004006538.tif 000007
【図６】
2004006538.tif 000008
【図７】
2004006538.tif 000009
【図８】
2004006538.tif 000010
【図９】
2004006538.tif 000011
【図１０】
2004006538.tif 000012